(57)【要約】【課題】商品の在庫を適切に配分可能な技術を提供することが望ましい。【解決手段】商品の配分上限数を取得する上限数取得部と、商品の発注可能数を問い合わせる可能数問合せを受け付ける可能数問合受付部と、可能数問合受付部が受け付けた可能数問合せを格納する問合格納部と、配分上限数に基づいて発注可能数を決定する可能数決定部と、複数の可能数問合せのそれぞれについて、可能数問合せの優先度に応じて回答数を決定する回答数決定部と、回答数に基づいて、商品の発注に用いるチケットを作成するチケット作成部と、チケット作成部が作成したチケットの数に応じて商品の配分済み数を更新する配分済数更新部と、回答数決定部によって決定された回答数に基づいて可能数問合せに対する回答を送信する回答送信部とを備える管理装置を提供する。【選択図】図１
2020024486.tif 000002
【特許請求の範囲】
【請求項１】
商品の配分上限数を取得する上限数取得部と、
商品の発注可能数を問い合わせる可能数問合せを受け付ける可能数問合受付部と、
前記可能数問合受付部が受け付けた前記可能数問合せを格納する問合格納部と、
前記配分上限数に基づいて発注可能数を決定する可能数決定部と、
複数の前記可能数問合せのそれぞれについて、前記可能数問合せの優先度に応じて回答数を決定する回答数決定部と、
前記回答数に基づいて、商品の発注に用いるチケットを作成するチケット作成部と、
前記チケット作成部が作成した前記チケットの数に応じて商品の配分済み数を更新する配分済数更新部と、
前記回答数決定部によって決定された前記回答数に基づいて前記可能数問合せに対する回答を送信する回答送信部と
を備える管理装置。
【請求項２】
前記チケット作成部が作成したチケットを識別可能なチケット情報を送信するチケット情報送信部と、
前記チケット情報を含む受注の問合せを受け付ける受注問合受付部と、
前記受注の問合せに含まれる前記チケット情報に基づいて、前記商品の配分の引き当てを行う引当処理部と、
前記引当処理部による引当結果に基づいて、前記商品の配分の引当済数を更新する引当数更新部と
を備える、請求項１に記載の管理装置。
【請求項３】
前記チケットには有効期限が設定され、
前記配分済数更新部は、前記チケットが使用される前に当該チケットの有効期限が徒過した場合に、前記配分済み数を更新する、請求項２に記載の管理装置。
【請求項４】
前記チケットが使用される前に当該チケットの有効期限が徒過した場合に、当該チケットのチケット情報を送信した送信先をブラックリストに登録するブラックリスト登録部
を備え、
前記回答数決定部は、前記ブラックリストにさらに基づいて前記回答数を決定する、請求項２又は３に記載の管理装置。
【請求項５】
前記商品を購入する購入者による前記商品の予約情報を取得する予約情報取得部と、
複数の前記予約情報を格納する予約情報格納部と、
予約に対して割り当てられている前記商品の配分数を示す予約枠を参照して、前記複数の予約情報のそれぞれに対して、予約された商品の受注を可能にする予約チケットを作成する予約チケット作成部と、
前記予約チケット作成部が作成した前記予約チケットの数に応じて、前記予約枠を更新する予約枠更新部と、
前記予約チケットを識別する予約チケット情報を送信する予約チケット情報送信部と、
を備える、請求項１から４のいずれか一項に記載の管理装置。
【請求項６】
前記予約チケットには有効期限が設定され、
前記予約枠更新部は、前記予約チケットが使用される前に当該予約チケットの有効期限が徒過した場合に、前記予約枠を更新する、請求項５に記載の管理装置。
【請求項７】
コンピュータを、請求項１から６のいずれか一項に記載の管理装置として機能させるためのプログラム。
【発明の詳細な説明】
【技術分野】
【０００１】
本発明は、管理装置及びプログラムに関する。
【背景技術】
【０００２】
倉庫内の在庫を管理する在庫管理システムが知られていた（例えば、特許文献１参照）。
［先行技術文献］
［特許文献］
［特許文献１］特開２０１６−２０７０５３号公報
【発明の概要】
【発明が解決しようとする課題】
【０００３】
商品の在庫を適切に配分可能な技術を提供することが望ましい。
【課題を解決するための手段】
【０００４】
本発明の第１の態様によれば、管理装置が提供される。管理装置は、商品の配分上限数を取得する上限数取得部を備えてよい。管理装置は、商品の発注可能数を問い合わせる可能数問合せを受け付ける可能数問合受付部を備えてよい。管理装置は、可能数問合受付部が受け付けた可能数問合せを格納する問合格納部を備えてよい。管理装置は、配分上限数に基づいて発注可能数を決定する可能数決定部を備えてよい。管理装置は、複数の可能数問合せのそれぞれについて、可能数問合せの優先度に応じて回答数を決定する回答数決定部を備えてよい。管理装置は、回答数に基づいて、商品の発注に用いるチケットを作成するチケット作成部を備えてよい。管理装置は、チケット作成部が作成したチケットの数に応じて商品の配分済み数を更新する配分済数更新部を備えてよい。管理装置は、回答数決定部によって決定された回答数に基づいて可能数問合せに対する回答を送信する回答送信部を備えてよい。
【０００５】
上記管理装置は、上記チケット作成部が作成したチケットを識別可能なチケット情報を送信するチケット情報送信部と、上記チケット情報を含む受注の問合せを受け付ける受注問合受付部と、上記受注の問合せに含まれる上記チケット情報に基づいて、上記商品の配分の引き当てを行う引当処理部と、上記引当処理部による引当結果に基づいて、上記商品の配分の引当済数を更新する引当数更新部とを備えてよい。上記チケットには有効期限が設定されてよく、上記配分済数更新部は、上記チケットが使用される前に当該チケットの有効期限が徒過した場合に、上記配分済み数を更新してよい。上記管理装置は、上記チケットが使用される前に当該チケットの有効期限が徒過した場合に、当該チケットのチケット情報を送信した送信先をブラックリストに登録するブラックリスト登録部を備えてよく、上記回答数決定部は、上記ブラックリストにさらに基づいて上記回答数を決定してよい。上記管理装置は、上記商品を購入する購入者による上記商品の予約情報を取得する予約情報取得部と、複数の上記予約情報を格納する予約情報格納部と、予約に対して割り当てられている上記商品の配分数を示す予約枠を参照して、上記複数の予約情報のそれぞれに対して、予約された商品の受注を可能にする予約チケットを作成する予約チケット作成部と、上記予約チケット作成部が作成した上記予約チケットの数に応じて、上記予約枠を更新する予約枠更新部と、上記予約チケットを識別する予約チケット情報を送信する予約チケット情報送信部と、を備えてよい。上記予約チケットには有効期限が設定されてよく、上記予約枠更新部は、上記予約チケットが使用される前に当該予約チケットの有効期限が徒過した場合に、上記予約枠を更新してよい。
【０００６】
本発明の第２の態様によれば、コンピュータを、上記管理装置として機能させるためのプログラムが提供される。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】管理装置１００の一例を概略的に示す。
【図２】入荷予定数４０の配分例５０の一例を概略的に示す。
【図３】ショップ枠５５の配分例６０の一例を概略的に示す。
【図４】個別枠６２の配分例７０の一例を概略的に示す。
【図５】ショップ枠Ａ７１、ショップ枠Ｂ７２、及びフリー枠７３の一例を概略的に示す。
【図６】代理店Ｘ８４の階層の一例を概略的に示す。
【図７】管理装置１００による処理の流れの一例を概略的に示す。
【図８】管理装置１００による処理の流れの一例を概略的に示す。
【図９】管理装置１００の機能構成の一例を概略的に示す。
【図１０】管理装置１００として機能するコンピュータ１０００のハードウェア構成の一例を概略的に示す。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、管理装置１００の一例を概略的に示す。本実施形態に係る管理装置１００は、倉庫２０内の商品の在庫を管理する。商品の例として、携帯電話機及びＳＩＭカード等が挙げられるが、これに限らず、管理装置１００は、任意の商品を対象として、在庫を管理してよい。また、管理装置１００が管理対象とする倉庫２０は複数であっても１つであってもよい。
【００１１】
管理装置１００は、倉庫２０に現に収容されている商品の在庫や、入荷予定が決定した商品の在庫を、論理在庫として管理する。管理装置１００は、発注者３０に対して、論理在庫を予め適切に配分することによって、在庫の偏りを防止する。発注者３０に対して配分した論理在庫のことを枠と記載する場合がある。発注者３０は、商品を発注して、入荷した商品を顧客に販売する店舗や、商品を発注して、店舗に配分する代理店等であってよい。
【００１２】
管理装置１００は、例えば、商品の入荷予定が決定した場合に、入荷予定数から、複数の発注者３０に対して配分可能な配分総数を決定する。管理装置１００は、例えば、入荷予定数の一部を予備として確保して、その残りを配分総数として決定する。
【００１３】
管理装置１００は、配分総数を複数の発注者３０のそれぞれに配分する。管理装置１００は、例えば、複数の発注者３０のそれぞれの商品販売力に応じて、複数の発注者３０のそれぞれの配分数を決定する。商品販売力は、商品の販売履歴に基づいて決定されてよい。
【００１４】
管理装置１００は、複数の発注者のそれぞれの配分数を決定した後、必要に応じて、配分総数を調整する。例えば、複数の発注者３０のそれぞれの配分数を決定した結果、一部の発注者３０への配分数が不足している場合には、予備として確保しておいた数の一部を配分総数に加えるなどして、調整する。
【００１５】
発注者３０は、通信端末３００により管理装置１００にアクセスすることによって、例えば、自らに配分されている枠を照会する。通信端末３００は、通信機能を有していればどのような端末であってもよく、例えば、スマートフォン等の携帯電話、タブレット端末、及びＰＣ（Ｐｅｒｓｏｎａｌ  Ｃｏｍｐｕｔｅｒ）等である。
【００１６】
通信端末３００と管理装置１００とは、ネットワーク１０を介して通信してよい。ネットワーク１０は、任意のネットワークであってよく、例えば、インターネットと、いわゆる３Ｇ（３ｒｄ  Ｇｅｎｅｒａｔｉｏｎ）、ＬＴＥ（Ｌｏｎｇ  Ｔｅｒｍ  Ｅｖｏｌｕｔｉｏｎ）、４Ｇ（４ｔｈ  Ｇｅｎｅｒａｔｉｏｎ）及び５Ｇ（５ｔｈ  Ｇｅｎｅｒａｔｉｏｎ）等の携帯電話網と、公衆無線ＬＡＮ（Ｌｏｃａｌ  Ａｒｅａ  Ｎｅｔｗｏｒｋ）と、専用網との少なくともいずれかを含んでよい。
【００１７】
発注者３０は、例えば、枠の範囲内で、管理装置１００に対して商品の受注登録を行う。管理装置１００は、発注者３０による商品の受注登録を受け付けた場合、当該発注者３０に配分されている枠に対して引当を行う。そして、管理装置１００は、枠の引当ができたことに応じて、商品の在庫の引当を行う。その後、管理装置１００は、受注登録に対する結果を発注者３０に対して通知する。このような流れによって、枠の範囲内、かつ、在庫の範囲内で、適切に発注者３０に対して商品を割り当てることができる。
【００１８】
図２は、入荷予定数４０の配分例５０を概略的に示す。管理装置１００は、入荷予定数４０を任意に配分可能である。ここでは、管理装置１００が入荷予定数４０を予備枠５１、オンライン枠５２、法人枠５３、量販枠５４、及びショップ枠５５に配分した場合を例示している。
【００１９】
本例において、オンライン枠５２は、オンライン販売用の枠であり、法人枠５３は、法人取引用の枠であり、量販枠５４は、量販用の枠であり、ショップ枠５５は、代理店及び店舗等のショップ用の枠である。入荷予定数４０の配分はこれに限らず、管理装置１００は、入荷予定数４０を任意に配分してよい。
【００２０】
図３は、ショップ枠５５の配分例６０の一例を概略的に示す。管理装置１００は、ショップ枠５５をさらに任意に配分してよい。ここでは、管理装置１００がショップ枠５５を推奨枠６１、個別枠６２、特枠６３、及び予約枠６４に配分した場合を例示している。
【００２１】
本例において、推奨枠６１は、管理装置１００から各店舗や各代理店に対して推奨する枠を示す。管理装置１００は、例えば、各店舗及び各代理店の商品の販売実績を分析することにより、各店舗及び各代理店に対して、このくらい発注した方がよいという数を割り出して、例えば、その合計を推奨枠６１とする。個別枠６２は、個別に枠を設定するための枠であってよい。特枠６３は、特殊な事情に対して割り当てる枠であってよい。特殊な事情とは、例えば、代理店による商品販売の特別な施策がある場合等である。予約枠６４は、予約販売に対応する枠である。予約枠６４は、例えば、予備枠５１から配分されたものであってもよい。
【００２２】
図４は、個別枠６２の配分例７０の一例を概略的に示す。管理装置１００は、個別枠６２をさらに任意に配分してよい。ここでは、管理装置１００が個別枠６２をショップ枠Ａ７１、ショップ枠Ｂ７２、及びフリー枠７３に配分した場合を例示している。
【００２３】
図５は、ショップ枠Ａ７１、ショップ枠Ｂ７２、及びフリー枠７３の一例を概略的に示す。図５に示す例では、ショップ枠Ａ７１は、店舗あ８１、店舗い８２、及び店舗う８３に割り当てられ、ショップ枠Ｂ７２は、代理店Ｘ８４、代理店Ｙ８５、及び代理店Ｚ８６に割り当てられ、フリー枠７３は、割当枠ａ８７、割当枠ｂ８８、及び割当枠ｃ８９に割り当てられている。
【００２４】
図６は、代理店Ｘ８４の階層の一例を概略的に示す。図６に示す階層によれば、代理店Ｘ８４の下位階層に運営店Ａ９１及び運営店Ｂ９２が位置し、運営店Ａ９１の下位階層に店舗あ８１、店舗い８２、及び店舗う８３が位置し、運営店Ｂ９２の下位階層に店舗か９３が位置する。
【００２５】
図４〜図６に示す状況においては、店舗あ８１、店舗い８２、及び店舗う８３は、ショップ枠Ａ７１、ショップ枠Ｂ７２、及びフリー枠７３のいずれからも枠を引き当てることができることになる。ここで、店舗あ８１、店舗い８２及び店舗う８３の引当対象は、優先順位に従って決定されてもよい。優先順位として、例えば、店舗単位が最も優先順位が高く、代理店単位、割当枠の順に優先順位が低いものとすると、店舗あ８１、店舗い８２、及び店舗う８３の引当対象は、ショップ枠Ａ７１になる。
【００２６】
店舗か９３は、ショップ枠Ｂ７２及びフリー枠７３から枠を引き当てることができる。引当対象が優先順位に従って決定される場合、店舗か９３の引当対象は、ショップ枠Ｂ７２になる。運営店Ａ９１及び運営店Ｂ９２は、ショップ枠Ｂ７２及びフリー枠７３から枠を引き当てることができる。引当対象が優先順位に従って決定される場合、運営店Ａ９１及び運営店Ｂ９２の引当対象は、ショップ枠Ｂ７２になる。代理店Ｘ８４は、ショップ枠Ｂ７２から枠を引き当てることができる。上述したように、様々な範囲に対して枠を設定可能にすることによって、在庫の配分の自由度を高めることができる。
【００２７】
管理装置１００は、例えば、代理店等の発注者３０から、複数の枠のいずれかについての、商品の発注可能数を問い合わせる可能数問合せを受け付けた場合、問い合わせの優先度に応じて回答数を決定し、回答してよい。
【００２８】
図７は、管理装置１００による処理の流れの一例を概略的に示す。ここでは、発注者３０から特枠６３に対する可能数問合せを受けた場合を例に挙げて説明する。なお、特枠６３の配分上限数は既に決定されているものとして説明する。
【００２９】
ステップ（ステップをＳと省略して記載する場合がある。）１０２では、管理装置１００が、発注者３０から可能数問合せを受け付ける。管理装置１００は、可能数問合せを通信端末３００から受信する。
【００３０】
Ｓ１０４では、管理装置１００が、予め定められた期間が経過したか否かを判定する。予め定められた期間は、半日及び一日等、任意に定められてよい。経過していないと判定した場合、Ｓ１０２に戻り、経過したと判定した場合、Ｓ１０６に進む。
【００３１】
Ｓ１０６では、管理装置１００が、商品の配分上限数に基づいて、発注可能数を決定する。管理装置１００は、配分上限数を超えないように、発注可能数を決定する。
【００３２】
Ｓ１０８では、管理装置１００が、複数の可能数問合せのそれぞれについて、可能数問合せの優先度に応じて回答数を決定する。管理装置１００は、優先度がより高い可能数問合せに対して、より多くの数を割り当てるように回答数を決定する。優先度に応じた回答数の決定についての詳細は後述する。
【００３３】
Ｓ１１０では、管理装置１００が、Ｓ１０８において決定した回答数に基づいて、複数の可能数問合せのそれぞれについて、商品の発注に用いるチケットを作成する。Ｓ１１２では、管理装置１００が、Ｓ１１０において作成したチケットの数に応じて、商品の配分済み数を更新する。管理装置１００は、作成したチケットの数を、配分済み数に加算してよい。
【００３４】
Ｓ１１４では、管理装置１００が、Ｓ１０８において決定した回答数に基づいて可能数問合せに対する回答を発注者３０に対して送信する。管理装置１００は、回答数と、作成したチケットを識別するチケット情報とを発注者３０に送信してよい。
【００３５】
発注者３０は、問い合わせに対する回答を参照することによって、いくつの発注が可能であるかを把握できる。また、発注者３０は、送信されたチケット情報を用いて、管理装置１００に対して、商品の発注を行うことができる。
【００３６】
図８は、管理装置１００による処理の流れの一例を概略的に示す。ここでは、可能数問合せの優先度に応じて、回答数を決定する決定処理の一例を概略的に示す。
【００３７】
Ｓ２０２では、問合せの優先度が１であるか否かを判定する。優先度が１である場合、Ｓ２１４に進み、１でない場合、Ｓ２０４に進む。問合せの優先度は、予め任意に決定されてよい。
【００３８】
優先度１の問合せの具体例としては、「クレーム」、「店舗受取り」及び「初期不良」が挙げられる。本例において、「クレーム」は、機器故障によるクレーム交換のため代理店が追加で発注する際に対応する枠であってよい。また、「店舗受取り」は、予約受付完了後の店頭受け取りに関する追加枠であってよい。また、「初期不良」は、初期不良による交換のため代理店が追加で発注する際に対応する枠であってよい。優先度２の問合せの具体例としては、「在庫枯渇」が挙げられる。「在庫枯渇」は、代理店が在庫不足と感じ追加で発注する際に対応する枠であってよい。優先度３の問合せの具体例としては、「店舗／代理店施策」及び「その他」が挙げられる。「店舗／代理店施策」は、店舗のイベント出店などの販売増が見込める場合に追加発注する際に対応する枠であってよい。「その他」は、代理店が他の理由で追加で発注する際に対応する枠であってよい。これらは例示であって、問合せの優先度は任意に定められてよい。
【００３９】
Ｓ２０４では、管理装置１００が、問合せに対して配分を拒否するか否かを判定する。管理装置１００は、例えば、問合せ元の発注者３０が、ブラックリストに登録されている発注者３０である場合、拒否すると判定し、ブラックリストに登録されていない場合、拒否しないと判定する。拒否すると判定した場合、Ｓ２０６に進み、拒否しないと判定した場合、Ｓ２０８に進む。Ｓ２０６では、管理装置１００が、問合せに対する配分上限数を０に設定する。
【００４０】
Ｓ２０８では、管理装置１００が、問合せが特例に該当するか否かを判定する。管理装置１００は、例えば、問合せ元の発注者３０が、特例リストに登録されている発注者３０である場合、特例に該当すると判定し、特例リストに登録されていない場合、特例に該当しないと判定する。
【００４１】
Ｓ２１０では、管理装置１００が、問合せ元の発注者３０の在庫が、在庫月数上限より低いか否かを判定する。在庫月数は、発注者３０の現在庫が、その発注者３０にとって何か月分の在庫に相当するかを示す値であってよい。在庫月数は、任意の算出方法で算出されてよい。例えば、在庫月数は、以下の式によって算出される。
【００４２】
【数１】
2020024486.tif 000003
【００４３】
上記在庫数は、前日時点の有効在庫を対象とする。また、上記入荷予定数は、前日時点で本日以降の入荷予定となっている受注を対象とする。また、上記問合せ配分数は、問合せ未回収の配分数を示してよい。店舗単位に配分された枠数は代理店の在庫月数チェックでは対象となる。問合せ配分数以外の枠数は在庫月数チェック対象とならない。また、上記問合せ希望数は、回答のタイミングで対象となる問合せを対象とする。例えば、問合せで１０台を所望している場合には、問合せ希望数は１０である。上記推奨提案数は、当日の推奨提案数を示してよい。推奨提案数は、管理装置１００によって、例えば、複数の発注者３０のそれぞれについて、毎日提示される。管理装置１００による、その日の推奨提案数の提示がまだされていない場合には、推奨提案数を０として計算してよい。上記販売数は、前日までの販売実績を示してよい。例えば、過去９０日の販売実績を３０日単位で合計し、３つの合計値のうち、最大の合計値を販売数とする。管理装置１００は、例えば、在庫月数が１．０になるまで配分を認めるものとして、在庫月数上限を定めてよい。
【００４４】
問合せ元の発注者３０の在庫が、在庫月数上限より低いと判定した場合、Ｓ２１４に進み、低いと判定しなかった場合、Ｓ２１２に進む。Ｓ２１２では、管理装置１００が、問合せに対する配分上限数を決定する。
【００４５】
Ｓ２１４では、管理装置１００が、複数の問合せに対して、枠の残りが充分であるか否かを判定する。充分であると判定した場合、Ｓ２１６に進み、十分でないと判定した場合、Ｓ２１８に進む。Ｓ２１６では、複数の問合せのそれぞれに対して、枠を配分する。Ｓ２１８では、複数の問合せのそれぞれに対して、枠を按分配分する。枠のうち、按分できない数については、問合せの確定日時がより早かった問合せに対して配分する。問合せの確定日時は、通信端末３００が問合せを送信した時刻であってよく、また、管理装置１００が問合せを受け付けた時刻であってもよい。例えば、優先度の等しい３つの問合せのそれぞれの所望数が１０であり、枠の残りが１０である場合、３つの問合せのそれぞれに対してまず３を配分し、残りの１つを、３つの問合せのうち、最も確定日時が早かった問合せに配分する。Ｓ２２０では、管理装置１００が、上述の処理によって配分した数を、回答数として決定する。
【００４６】
図９は、管理装置１００の機能構成の一例を概略的に示す。管理装置１００は、配分数取得部１０２、可能数問合受付部１０４、問合格納部１０５、可能数決定部１０６、回答数決定部１０８、チケット作成部１１０、配分済数更新部１１２、回答送信部１１４、チケット管理部１１６、チケット情報送信部１１８、受注問合受付部１２０、引当処理部１２２、引当数更新部１２４、ブラックリスト登録部１２６、予約情報取得部１３０、予約情報格納部１３２、予約チケット作成部１３４、予約枠更新部１３６、予約チケット管理部１３８、予約チケット情報送信部１４０、及び予約発注受付部１４２を備える。なお、管理装置１００がこれらのすべての構成を備えることは必須とは限らない。
【００４７】
配分数取得部１０２は、商品の配分数を取得する。配分数取得部１０２は、例えば、商品の配分上限数を取得する。配分数取得部１０２は、枠ごとに配分数を取得してもよい。
【００４８】
可能数問合受付部１０４は、商品の発注可能数を問い合わせる可能数問合せを受け付ける。可能数問合受付部１０４は、例えば、通信端末３００から可能数問合せを受信する。可能数問合せは、商品の所望数を含んでもよい。可能数問合受付部１０４は、受け付けた可能数問合せを問合格納部１０５に格納する。
【００４９】
可能数決定部１０６は、配分数取得部１０２が取得した配分上限数に基づいて、商品の発注可能数を決定する。可能数決定部１０６は、配分上限数の範囲内で、発注可能数を決定してよい。
【００５０】
回答数決定部１０８は、問合格納部１０５に格納されている複数の可能数問合せのそれぞれについて、可能数問合せの優先度に応じて回答数を決定する。
【００５１】
チケット作成部１１０は、回答数決定部１０８によって決定された回答数に基づいて、商品の発注に用いるチケットを作成する。
【００５２】
配分済数更新部１１２は、チケット作成部１１０が作成したチケットの数に応じて、商品の配分済み数を更新する。配分済数更新部１１２は、チケット作成部１１０が作成したチケットの数を、商品の配分済み数に加算してよい。
【００５３】
回答送信部１１４は、回答数決定部１０８によって決定された回答数に基づいて、可能数問合せに対する回答を送信する。回答送信部１１４は、可能数問合せの問合せ元の発注者３０の通信端末３００に対して回答を送信してよい。
【００５４】
チケット管理部１１６は、チケット作成部１１０によって作成されたチケットを管理する。チケット作成部１１０は、チケットに有効期限を設定してよく、チケット管理部１１６は、各チケットについて、有効期限を徒過したか否かを管理してよい。
【００５５】
チケット情報送信部１１８は、チケット管理部１１６が作成したチケットを識別するチケット情報を送信する。チケット情報送信部１１８は、可能数問合せの問合せ元の発注者３０の通信端末３００に対してチケット情報を送信してよい。チケット情報は、例えば、チケットを一意に識別可能な識別番号である。
【００５６】
受注問合受付部１２０は、商品の受注の問合せを受け付ける。受注問合受付部１２０は、例えば、チケット情報を含む受注の問合せを、発注者３０の通信端末３００から受信する。
【００５７】
引当処理部１２２は、受注問合受付部１２０が受け付けた受注の問合せに対して、当該受注の問合せに含まれるチケット情報に基づいて、商品の配分の引当を行う。引当処理部１２２は、受注の問合せに含まれるチケット情報が有効であるか否かをチケット管理部１１６に問合せ、有効であると判定した場合、商品の配分の引当を行う。引当処理部１２２による商品の引当が行われた場合、チケット管理部１１６は、チケット情報に対応するチケットを無効にしてよい。
【００５８】
引当数更新部１２４は、引当処理部１２２によって商品の配分の引当が行われた場合に、商品の引当数を更新する。引当数更新部１２４は、引当処理部１２２によって配分の引当が行われた数を、引当数に加算してよい。
【００５９】
チケット管理部１１６は、管理しているチケットについて、商品の配分の引当に使用される前に有効期限が徒過した場合、当該チケットを無効にするとともに、その旨を配分済数更新部１１２に通知する。配分済数更新部１１２は、有効期限の徒過によって無効にされたチケットの数によって、商品の配分済み数を更新する。配分済数更新部１１２は、無効にされたチケットの数を、商品の配分済み数から減算してよい。このように、チケットに有効期限を設定することによって、チケットを作成してチケット情報を送信したにもかかわらず、当該チケットが使用されないような場合に、枠を割り当てた状態が継続してしまうことを防止できる。
【００６０】
チケット管理部１１６は、管理しているチケットについて、商品の配分の引当に使用される前に有効期限が徒過した場合、当該チケットのチケット情報を送信した送信先の発注者３０を識別する情報をブラックリスト登録部１２６に登録してよい。回答数決定部１０８は、可能数問合せに対する回答数を決定する場合に、ブラックリスト登録部１２６を参照して決定してもよい。例えば、回答数決定部１０８は、可能数問合せの問合せ元の発注者３０がブラックリスト登録部１２６に登録されている場合、当該発注者３０に対する回答数を０にする。
【００６１】
予約情報取得部１３０は、商品を店舗等で購入する購入者による商品の予約情報を取得する。予約情報取得部１３０は、複数の発注者３０のそれぞれから、予約情報を受信してよい。予約情報格納部１３２は、予約情報取得部１３０が取得した予約情報を格納する。
【００６２】
予約チケット作成部１３４は、予約に対して割り当てられている商品の配分数を示す予約枠を参照して、予約情報格納部１３２に格納されている複数の予約情報のそれぞれに対して、発注者３０による予約された商品の受注を可能にする予約チケットを作成する。
【００６３】
予約枠更新部１３６は、予約チケット作成部１３４によって作成された予約チケットの数に応じて、予約枠を更新する。予約枠更新部１３６は、予約チケット作成部１３４によって作成された予約チケットの数を予約枠から減算してよい。
【００６４】
予約チケット管理部１３８は、予約チケット作成部１３４によって作成された予約チケットを管理する。予約チケット作成部１３４は、予約チケットに有効期限を設定してよく、予約チケット管理部１３８は、各チケットについて、有効期限を徒過したか否かを管理してよい。
【００６５】
予約チケット情報送信部１４０は、予約チケットを識別する予約チケット情報を送信する。予約チケット情報送信部１４０は、予約情報格納部１３２が格納している予約情報を参照して、予約情報を送信した発注者３０に対して、予約チケット情報を送信してよい。予約チケット情報は、例えば、予約チケットを一意に識別可能な識別番号である。
【００６６】
予約発注受付部１４２は、予約商品の発注を受け付ける。予約発注受付部１４２は、例えば、予約チケット情報を含む予約商品の発注を、発注者３０から受信する。予約チケット情報送信部１４０が予約商品の発注を受け付けた場合、予約チケット管理部１３８は、予約商品の発注に含まれる予約チケット情報を参照して、当該予約チケット情報により識別される予約チケットが有効である場合、予約商品の発注を受け付ける。
【００６７】
予約チケット管理部１３８は、管理している予約チケットについて、使用される前に有効期限が徒過した場合、当該予約チケットを無効にするとともに、その旨を予約枠更新部１３６に通知する。予約枠更新部１３６は、有効期限の徒過によって無効にされた予約チケットの数によって、予約枠を更新する。予約枠更新部１３６は、無効にされたチケットの数を、予約枠に加算してよい。このように、予約チケットに有効期限を設定することによって、予約チケットを作成して予約チケット情報を送信したにもかかわらず、当該予約チケットが使用されないような場合に、枠を割り当てた状態が継続してしまうことを防止できる。
【００６８】
図１０は、管理装置１００として機能するコンピュータ１０００のハードウェア構成の一例を概略的に示す。本実施形態に係るコンピュータ１０００は、ホストコントローラ１０９２により相互に接続されるＣＰＵ１０１０、ＲＡＭ１０３０、及びグラフィックコントローラ１０８５を有するＣＰＵ周辺部と、入出力コントローラ１０９４によりホストコントローラ１０９２に接続されるＲＯＭ１０２０、通信Ｉ／Ｆ１０４０、ハードディスクドライブ１０５０、ＤＶＤドライブ１０７０及び入出力チップ１０８０を有する入出力部を備える。
【００６９】
ＣＰＵ１０１０は、ＲＯＭ１０２０及びＲＡＭ１０３０に格納されたプログラムに基づいて動作し、各部の制御を行う。グラフィックコントローラ１０８５は、ＣＰＵ１０１０などがＲＡＭ１０３０内に設けたフレーム・バッファ上に生成する画像データを取得し、ディスプレイ１０９０上に表示させる。これに代えて、グラフィックコントローラ１０８５は、ＣＰＵ１０１０などが生成する画像データを格納するフレーム・バッファを、内部に含んでもよい。
【００７０】
通信Ｉ／Ｆ１０４０は、有線又は無線によりネットワークを介して他の装置と通信する。また、通信Ｉ／Ｆ１０４０は、通信を行うハードウェアとして機能する。ハードディスクドライブ１０５０は、ＣＰＵ１０１０が使用するプログラム及びデータを格納する。ＤＶＤドライブ１０７０は、ＤＶＤ−ＲＯＭ１０７２からプログラム又はデータを読み取り、ＲＡＭ１０３０を介してハードディスクドライブ１０５０に提供する。
【００７１】
ＲＯＭ１０２０は、コンピュータ１０００が起動時に実行するブート・プログラム及びコンピュータ１０００のハードウェアに依存するプログラムなどを格納する。入出力チップ１０８０は、例えばパラレル・ポート、シリアル・ポート、キーボード・ポート、マウス・ポートなどを介して各種の入出力装置を入出力コントローラ１０９４へと接続する。
【００７２】
ＲＡＭ１０３０を介してハードディスクドライブ１０５０に提供されるプログラムは、ＤＶＤ−ＲＯＭ１０７２、又はＩＣカードなどの記録媒体に格納されて利用者によって提供される。プログラムは、記録媒体から読み出され、ＲＡＭ１０３０を介してハードディスクドライブ１０５０にインストールされ、ＣＰＵ１０１０において実行される。
【００７３】
コンピュータ１０００にインストールされ、コンピュータ１０００を管理装置１００として機能させるプログラムは、ＣＰＵ１０１０などに働きかけて、コンピュータ１０００を、管理装置１００の各部としてそれぞれ機能させてよい。これらのプログラムに記述された情報処理は、コンピュータ１０００に読込まれることにより、ソフトウエアと上述した各種のハードウェア資源とが協働した具体的手段である配分数取得部１０２、可能数問合受付部１０４、問合格納部１０５、可能数決定部１０６、回答数決定部１０８、チケット作成部１１０、配分済数更新部１１２、回答送信部１１４、チケット管理部１１６、チケット情報送信部１１８、受注問合受付部１２０、引当処理部１２２、引当数更新部１２４、ブラックリスト登録部１２６、予約情報取得部１３０、予約情報格納部１３２、予約チケット作成部１３４、予約枠更新部１３６、予約チケット管理部１３８、予約チケット情報送信部１４０、及び予約発注受付部１４２として機能する。そして、これらの具体的手段によって、本実施形態におけるコンピュータ１０００の使用目的に応じた情報の演算又は加工を実現することにより、使用目的に応じた特有の管理装置１００が構築される。
【００７４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７５】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００７６】
１０  ネットワーク、２０  倉庫、３０  発注者、４０  入荷予定数、５０  配分例、５１  予備枠、５２  オンライン枠、５３  法人枠、５４  量販枠、５５  ショップ枠、６０  配分例、６１  推奨枠、６２  個別枠、６３  特枠、６４  予約枠、７０  配分例、７１  ショップ枠Ａ、７２  ショップ枠Ｂ、７３  フリー枠、８１  店舗あ、８２  店舗い、８３  店舗う、８４  代理店Ｘ、８５  代理店Ｙ、８６  代理店Ｚ、８７  割当枠ａ、８８  割当枠ｂ、８９  割当枠ｃ、９１  運営店Ａ、９２  運営店Ｂ、９３  店舗か、１００  管理装置、１０２  配分数取得部、１０４  可能数問合受付部、１０５  問合格納部、１０６  可能数決定部、１０８  回答数決定部、１１０  チケット作成部、１１２  配分済数更新部、１１４  回答送信部、１１６  チケット管理部、１１８  チケット情報送信部、１２０  受注問合受付部、１２２  引当処理部、１２４  引当数更新部、１２６  ブラックリスト登録部、１３０  予約情報取得部、１３２  予約情報格納部、１３４  予約チケット作成部、１３６  予約枠更新部、１３８  予約チケット管理部、１４０  予約チケット情報送信部、１４２  予約発注受付部、３００  通信端末、１０００  コンピュータ、１０１０  ＣＰＵ、１０２０  ＲＯＭ、１０３０  ＲＡＭ、１０４０  通信Ｉ／Ｆ、１０５０  ハードディスクドライブ、１０７０  ＤＶＤドライブ、１０７２  ＤＶＤ−ＲＯＭ、１０８０  入出力チップ、１０８５  グラフィックコントローラ、１０９０  ディスプレイ、１０９２  ホストコントローラ、１０９４  入出力コントローラ
【図１】
2020024486.tif 000004
【図２】
2020024486.tif 000005
【図３】
2020024486.tif 000006
【図４】
2020024486.tif 000007
【図５】
2020024486.tif 000008
【図６】
2020024486.tif 000009
【図７】
2020024486.tif 000010
【図８】
2020024486.tif 000011
【図９】
2020024486.tif 000012
【図１０】
2020024486.tif 000013